(57)【要約】  【課題】  簡単な構造を有し、組み立てに多くの時間及び手間をかけることなく、フォーカシング、トラッキングの精度を高めることができる光ヘッド及びこの光ヘッドを用いた光ディスク装置を提供する。  【解決手段】  ワイヤーばね２２は制振部材２１３に覆われ、支持部材２１の接着部２１２に接着剤２２１で接着固定される。さらに、両端部が屈曲して支持部材２１の側面２１１に形成された凹部２１４と係合する係合部２３３とはんだ付けにて接続している。【選択図】      図２
2006134433.tif 000002
【特許請求の範囲】
【請求項１】
回転している円盤状の光ディスクにレーザ光を照射することで、データの記録、読出を
行う光ディスク装置であって、
前記光ディスクを回転させるスピンドルモータと、前記光ディスクに対してレーザ光を
照射する光ヘッドと、信号を処理するための信号処理装置と、前記光ヘッドにて検出され
前記信号処理装置にて復号化された信号を外部の映像表示部に接続するための外部接続部
と、制御部とを備えており、
前記光ヘッドはレーザ光を照射するレーザ光源と、前記レーザ光を反射するミラーと、
前記レーザ光を平行光にするコリメータレンズと、前記レーザ光を前記光ディスクに照射
するための対物レンズと、前記光ディスクで反射した光を分光するビームスプリッタと、
光を受光する受光素子とを有しており、
前記コリメータレンズはベースに支持され、前記対物レンズはレンズホルダに固定され
、該レンズホルダがアクトベースに支持されており、前記アクトベースは前記ベースに固
定されており、
前記アクトベースは前記レンズホルダを支持するための支持部材と、前記支持部材に固
定されるとともに前記レンズホルダを弾性支持する直線状に形成された２対のワイヤーば
ねと、前記支持部材に取り付けられる基板と、前記レンズホルダ内部に磁界を発生させる
ための永久磁石とを有しており、
前記レンズホルダは、該レンズホルダを前記光ディスクのディスク面に対して垂直方向
に動かすためのフォーカシングコイルと、該ディスク面に平行な方向に移動するためのト
ラッキングコイルと、前記ワイヤーばねの位置決めをする位置決め部材と、前記フォーカ
シングコイル及び前記トラッキングコイルと電気的に接続し、前記ワイヤーばねがはんだ
付けされることで取り付けられるワイヤー取付部とを有しており、
前記支持部材は両側面に前記ワイヤーばねを接着剤にて接着するための接着部と、前記
ワイヤーばねと接触し粘弾性を有するゲル状の制振部材と、両側面に前記基板を配置する
ための凹部とを有しており、
前記基板は前記支持部材の前記レンズホルダと対向する面と反対側の面に取り付けられ
るものであり、両端を折り曲げることで形成され、前記支持部材の両側面に備えられた凹
部と係合する係合部と、前記係合部に備えられ、はんだ付けにて前記ワイヤーばねと電気
的に接続するランドとを有しており、
前記ランドより前記ワイヤーばねを介し前記フォーカシングコイル及びトラッキングコ
イルにそれぞれ独立して電力を供給し、
前記ワイヤーばねが前記支持部材の接着部にそれぞれ対になるように固定されることを
特徴とする光ディスク装置。
【請求項２】
回転している円盤状の光ディスクにレーザ光を照射することで、データの記録、読出を
行う光ディスク装置であって、前記光ディスクに対してレーザ光を照射する光ヘッドを備
えており、
前記光ヘッドは前記レーザ光を照射するレーザ光源と、前記レーザ光を平行光にするコ
リメータレンズと、前記レーザ光を前記光ディスクに照射するための対物レンズとを有し
、前記コリメータレンズはベースに支持され、前記対物レンズはレンズホルダに固定され
、該レンズホルダがアクトベースに支持されており、前記アクトベースは前記ベースに固
定されており、
前記アクトベースは前記レンズホルダを支持するための支持部材と、前記支持部材に固
定されるとともに前記レンズホルダを弾性支持する直線状に形成された１又は複数対のワ
イヤーばねと、前記支持部材に取り付けられる基板と、前記レンズホルダ内部に磁界を発
生させるための永久磁石とを有しており、
前記レンズホルダは、該レンズホルダを移動するための１又は複数のコイルと、前記ワ
イヤーばねの位置決めをする位置決め部材と、前記コイルと電気的に接続し、前記ワイヤ
ーばねがはんだ付けされることで取り付けられるワイヤー取付部とを有しており、
前記支持部材は両側面に前記ワイヤーばねを接着するための接着部と、前記ワイヤーば
ねの振動を抑制する粘弾性を有するゲル状の制振部材とを有しており、
前記基板は前記支持部材の前記レンズホルダと対向する面と反対側の面に取り付けられ
るものであり、両端部を折り曲げることで形成され、前記支持部材の両側面に備えられた
凹部と係合する係合部と、前記係合部に備えられ、はんだ付けにて前記ワイヤーばねと電
気的に接続するランドとを有しており、
前記ランドより前記ワイヤーばねを介し前記コイルにそれぞれ独立して電力を供給し、
前記ワイヤーばねが前記支持部材の接着部にそれぞれ対になるように固定されることを
特徴とする光ディスク装置。
【請求項３】
前記コイルは前記レンズホルダを前記光ディスクの表面に垂直なフォーカス方向に移動
させるフォーカスコイルであることを特徴とする請求項２に記載の光ディスク装置。
【請求項４】
前記コイルは前記レンズホルダを前記光ディスクの半径方向に移動させるトラッキング
コイルであることを特徴とする請求項２又は請求項３に記載の光ディスク装置。
【請求項５】
レーザ光を照射するレーザ光源と、ベースに支持され、前記レーザ光を平行光にするコ
リメータレンズと、レンズホルダに固定され前記レーザ光を前記光ディスクに照射するた
めの対物レンズとを有しており、前記レンズホルダはアクトベースに支持されており、前
記アクトベースは前記ベースに固定されており、
前記アクトベースは前記レンズホルダを支持するための支持部材と、前記支持部材に固
定されるとともに前記レンズホルダを弾性支持する直線状に形成された２対のワイヤーば
ねと、前記支持部材に取り付けられる基板と、前記レンズホルダ内部に磁界を発生させる
ための永久磁石とを有しており、
前記レンズホルダは、該レンズホルダを前記光ディスクのディスク面に対して垂直方向
に動かすためのフォーカシングコイルと、該ディスク面に平行な方向に移動するためのト
ラッキングコイルと、前記ワイヤーばねの位置決めをする位置決め部材と、前記フォーカ
シングコイル及び前記トラッキングコイルと電気的に接続し、前記ワイヤーばねがはんだ
付けされることで取り付けられるワイヤー取付部とを有しており、
前記支持部材は両側面に前記ワイヤーばねを接着剤にて接着するための接着部と、前記
ワイヤーばねと接触し粘弾性を有するゲル状の制振部材と、両側面に前記基板を配置する
ための凹部とを有しており、
前記基板は前記支持部材の前記レンズホルダと対向する面と反対側の面に取り付けられ
るものであり、両端部を折り曲げることで形成され、前記支持部材の両側面に備えられた
凹部と係合する係合部と、前記係合部に備えられ、はんだ付けにて前記ワイヤーばねと電
気的に接続するランドとを有しており、
前記ランドより前記ワイヤーばねを介し前記フォーカシングコイル及びトラッキングコ
イルにそれぞれ独立して電力を供給し、
前記ワイヤーばねが前記支持部材の接着部にそれぞれ対になるように固定されることを
特徴とする光ヘッド。
【請求項６】
レーザ光を照射するレーザ光源と、ベースに支持され、前記レーザ光を平行光にするコ
リメータレンズと、レンズホルダに固定され前記レーザ光を前記光ディスクに照射するた
めの対物レンズとを有し、前記レンズホルダはアクトベースに支持され、前記アクトベー
スは前記ベースに固定されており、
前記アクトベースは前記レンズホルダを支持するための支持部材と、前記支持部材に固
定されるとともに前記レンズホルダを弾性支持する直線状に形成された１又は複数対のワ
イヤーばねと、前記支持部材に取り付けられる基板と、前記レンズホルダ内部に磁界を発
生させるための永久磁石とを有しており、
前記レンズホルダは、該レンズホルダを移動するための１又は複数のコイルと、前記ワ
イヤーばねの位置決めをする位置決め部材と、前記コイルと電気的に接続し、前記ワイヤ
ーばねがはんだ付けされることで取り付けられるワイヤー取付部とを有しており、
前記支持部材は両側面に前記ワイヤーばねを接着剤にて接着するための接着部と、前記
ワイヤーばねの振動を抑制する粘弾性を有するゲル状の制振部材とを有しており、
前記基板は前記支持部材の前記レンズホルダと対向する面と反対側の面に取り付けられ
るものであり、両端部を折り曲げることで形成され、前記支持部材の両側面に備えられた
凹部と係合する係合部と、前記係合部に備えられ、はんだ付けにて前記ワイヤーばねと電
気的に接続するランドとを有しており、
前記ランドより前記ワイヤーばねを介し前記コイルにそれぞれ独立して電力を供給し、
前記ワイヤーばねが前記支持部材の接着部にそれぞれ対になるように固定されることを
特徴とする光ヘッド。
【請求項７】
前記コイルは前記レンズホルダを前記光ディスクの表面に垂直なフォーカス方向に移動
させるフォーカスコイルであることを特徴とする請求項６に記載の光ヘッド。
【請求項８】
前記コイルは前記レンズホルダを前記光ディスクの半径方向に移動させるトラッキング
コイルであることを特徴とする請求項６又は請求項７に記載の光ヘッド。
【発明の詳細な説明】
【技術分野】
【０００１】
本発明は、光ディスクに光を照射することでデータの記録及び（又は）読出しを行うこ
とができる光ディスク装置に関するものであり、特に前記光ディスクに光を照射する光ヘ
ッドに関するものである。
【背景技術】
【０００２】
近年、映像、音声又は情報の記録媒体として光を照射することで記録及び（又は）読出
しすることができる光ディスクを用いるものが多く用いられている。前記光ディスクとし
て、ＣＤ（Compact Disc）、ＤＶＤ（Digital Versatile Disc）等が広く用いられている
。これら光ディスクを記録媒体として該光ディスクにデータの記録及び（又は）読出しを
行う光ディスク装置は、光ディスクの記録面に対しレーザ光を照射し、反射してきた光を
検出する光ヘッドを備えている。
【０００３】
図２に光ヘッドの配置図を示す。図２に示すようにレーザ光源Ｌｄと、ミラーＭｒと、
コリメータレンズ３と、対物レンズ４と、ビームスプリッタＢｓと、受光素子Ｐｄとを有
している。レーザ光源Ｌｄより照射されたレーザ光はミラーＭｒで反射されてコリメータ
レンズ３に入射する。コリメータレンズ３に入射したレーザ光は平行光として出射され対
物レンズ４に入射する。対物レンズ４に入射したレーザ光はＤＶＤメディアＤｓの記録面
に照射される。
【０００４】
このときレーザ光はＤＶＤメディアＤｓの記録層に焦点をあわせて、且つ、光軸とＤＶ
ＤメディアＤｓの記録層とが垂直になるようにレーザ光を照射する。ビームスプリッタＢ
ｓは入射されたレーザ光の半分を透過し半分を反射するプリズムであり、ＤＶＤメディア
Ｄｓで反射した光を受光素子Ｐｄに導くものである。受光素子Ｐｄは光を電流に変換する
ものであり、光の強さによってデータを読み取るものである。
【０００５】
前記光ディスク装置では、対物レンズ等の光学素子が備えられている前記光ヘッドを、
光ディスク面の振れや傾きに追従させつつ、その垂直方向又は半径方向に移動させる必要
があり、前記対物レンズを保持するレンズホルダを複数本の金属弾性部材（ワイヤーばね
）にて支持するものが用いられている。前記レンズホルダは上下（フォーカス方向）、左
右（トラッキング方向）に駆動する。
【０００６】
図７に従来の光ヘッドの一例の側面図を、図８に図７に示す光ヘッドの平面図を示す。
図７、図８に示す光ヘッドＢはコリメータレンズ３が取り付けられたベース９１と、対物
レンズ４を保持するレンズホルダ９５が配置されるアクチュエータベース９２（以後アク
トベース９２と示す）とを有している。アクトベース９４はベース９１に固定されている
。アクトベース９２には貫通孔９２０が形成されており、コリメータレンズ３を出射した
レーザ光が貫通孔９２０を通過して対物レンズ４に入射する。
【０００７】
レンズホルダ９５には、光ディスクに対して垂直方向に移動させるフォーカシング、光
ディスクの半径方向に移動させるトラッキングを行うためのコイル９５４、９５５が形成
されている。アクトベース９２のレンズホルダ９５を配置する部分には一対の永久磁石９
２４、９２４が配置されており、コイル９５４、９５５には一定の磁界が発生している。
この状態でコイル９５４、９５５に電流を流すことで、レンズホルダ９５を駆動して、フ
ォーカシング、トラッキング、チルトを行う。
【０００８】
レンズホルダ９５はアクトベース８２に設けられた支持部材９２１に、金属性のワイヤ
ーばね９２２を介して支持されている。ワイヤーばね９２２はレンズホルダ９５を支持す
るとともに、コイル９５４、９５５に電流を流す送電線としても利用されている。ワイヤ
ーばね９２２はレンズホルダ９５の両側面に２本ずつ配置されており、レンズホルダ９５
の側面にはんだ付けにて取り付けられてレンズホルダ９５を弾性支持している。
【０００９】
支持部材９２１の側面には粘弾性を有するゲル状の制振部材９２５が配置されており、
制振部材９２５はワイヤーばね９２２を覆っている。このことにより、ワイヤーばね９２
２は制振部材９２５によってダンピングを抑えられている。支持部材９２１にはレンズホ
ルダ９５と反対側の面にワイヤーばね９２２に送電するための基板９２３が取り付けられ
ている。基板９２３は支持部材９２１にボルト９２６にて固定されている。基板９２３に
はワイヤーばね９２２の端部が貫通する貫通孔９２７が形成されている。ワイヤーばね９
２２の貫通孔９２７を貫通した端部を基板９２３にはんだ付けすることで、ワイヤーばね
９２２と支持部材９２３とを接続固定することができる。
【００１０】
レンズホルダ９５のフォーカシング、トラッキングのための移動量は、ワイヤーばね９
２２の長さによって変わってくる。さらに詳しく説明すると、基板９２３からレンズホル
ダ９５までのワイヤーばね９２２の長さＬ２によってレンズホルダ９５の移動量が決定す
る。フォーカシング、トラッキングの精度を高めるためには、ワイヤーばね９２２の長さ
Ｌ２を同じ長さにすればよい。ここでワイヤーばね９２２の長さはレンズホルダ９５のは
んだ付け部から基板の貫通孔９２７のはんだ付け部までの長さＬ２である。
【特許文献１】特開２００２−３５２４５１号公報
【特許文献２】特開２００１−３４４７８３号公報
【発明の開示】
【発明が解決しようとする課題】
【００１１】
しかしながら、ワイヤーばね９２２の長さＬ２は、支持部材９２１に取り付けられた基
板９２３の形状のずれ、取り付け位置のずれ、はんだの盛り方によって変化しやすく、複
数本設けられるワイヤーばね９２２の各長さを高精度で均一な長さになるように取り付け
るのは非常に困難である。また、支持部材９２１に取り付けられた基板９２３の貫通孔９
２７はワイヤーばね９２２を曲げたり、ワイヤーばね９２２に無理な力が加わえられたり
することなく通すことができるように製造するとともに、支持部材９２１に取り付けなく
てはならない。この場合、基板９２３の製造及び支持部材９２１への取り付けが難しく、
非常に時間と手間を必要とする。
【００１２】
このことは、光ヘッドを構成する各部材の製造、組み立てに高い精度が必要であり、そ
れだけ、前記光ヘッド及び該光ヘッドを備えた前記光ディスク装置の製造に必要な時間及
び手間が多くなり、製造コストが高くなる。
【００１３】
そこで本発明は、簡単な構造を有し、組み立てに多くの時間及び手間をかけることなく
、フォーカシング、トラッキングの精度を高めることができる光ヘッド及び光ヘッドを用
いた光ディスク装置を提供することを目的とする。
【課題を解決するための手段】
【００１４】
上記目的を達成するために本発明は、回転している円盤状の光ディスクにレーザ光を照
射することで、データの記録、読出を行う光ディスク装置であって、前記光ディスクを回
転させるスピンドルモータと、前記光ディスクに対してレーザ光を照射する光ヘッドと、
信号を処理するための信号処理装置と、前記光ヘッドにて検出され前記信号処理装置にて
復号化された信号を外部の映像表示部に接続するための外部接続部と、制御部とを備えて
おり、前記光ヘッドはレーザ光を照射するレーザ光源と、前記レーザ光を反射するミラー
と、前記レーザ光を平行光にするコリメータレンズと、前記レーザ光を前記光ディスクに
照射するための対物レンズと、前記光ディスクで反射した光を分光するビームスプリッタ
と、光を受光する受光素子とを有しており、前記コリメータレンズはベースに支持され、
前記対物レンズはレンズホルダに固定され、該レンズホルダがアクトベースに支持されて
おり、前記アクトベースは前記ベースに固定されており、前記アクトベースは前記レンズ
ホルダを支持するための支持部材と、前記支持部材に固定されるとともに前記レンズホル
ダを弾性支持する直線状に形成された２対のワイヤーばねと、前記支持部材に取り付けら
れる基板と、前記レンズホルダ内部に磁界を発生させるための永久磁石とを有しており、
前記レンズホルダは、該レンズホルダを前記光ディスクのディスク面に対して垂直方向に
動かすためのフォーカシングコイルと、該ディスク面に平行な方向に移動するためのトラ
ッキングコイルと、前記ワイヤーばねの位置決めをする位置決め部材と、前記フォーカシ
ングコイル及び前記トラッキングコイルと電気的に接続し、前記ワイヤーばねがはんだ付
けされることで取り付けられるワイヤー取付部とを有しており、前記支持部材は両側面に
前記ワイヤーばねを接着剤にて接着するための接着部と、前記ワイヤーばねと接触し粘弾
性を有するゲル状の制振部材と、両側面に前記基板を配置するための凹部とを有しており
、前記基板は前記支持部材の前記レンズホルダと対向する面と反対側の面に取り付けられ
るものであり、両端を折り曲げることで形成され、前記支持部材の両側面に備えられた凹
部と係合する係合部と、前記係合部に備えられ、はんだ付けにて前記ワイヤーばねと電気
的に接続するランドとを有しており、前記ランドより前記ワイヤーばねを介し前記フォー
カシングコイル及びトラッキングコイルにそれぞれ独立して電力を供給し、前記ワイヤー
ばねは前記支持部材の接着部にそれぞれ対になるように固定されることを特徴とする。
【００１５】
この構成によると、前記ワイヤーばねを前記アクトベースに取り付けられた前記支持部
材の側面の接着部に接着固定するので、はんだ付けによって前記ワイヤーばねの稼働範囲
が変化するのを防ぐことができる。このことは、複数本備えられる前記ワイヤーばねの長
さを互いに等しくすることができ、それだけ、レンズホルダの動作の精度を高めることが
できる。
【００１６】
また、特殊な部材や技術を使うことなく、前記ワイヤーばねを前記接着部に接着固定す
ることができるので、製造、組み立てに多くの時間、手間を必要とせず、それだけ、低コ
スト化を図ることができる。
【００１７】
前記レンズホルダのフォーカシング及びトラッキングの動作を高精度化することができ
るので、光ヘッドでの光ディスクの情報の読出し、光ディスクへの情報の書き込みが良好
に行われる光ディスク装置を提供することができる。
【００１８】
上記目的を達成するために本発明は、回転している円盤状の光ディスクにレーザ光を照
射することで、データの記録、読出を行う光ディスク装置であって、前記光ディスクに対
してレーザ光を照射する光ヘッドを備えており、前記光ヘッドは前記レーザ光を照射する
レーザ光源と、前記レーザ光を平行光にするコリメータレンズと、前記レーザ光を前記光
ディスクに照射するための対物レンズとを有し、前記コリメータレンズはベースに支持さ
れ、前記対物レンズはレンズホルダに固定され、該レンズホルダがアクトベースに支持さ
れており、前記アクトベースは前記ベースに固定されており、前記アクトベースは前記レ
ンズホルダを支持するための支持部材と、前記支持部材に固定されるとともに前記レンズ
ホルダを弾性支持する直線状に形成された１又は複数対のワイヤーばねと、前記支持部材
に取り付けられる基板と、前記レンズホルダ内部に磁界を発生させるための永久磁石とを
有しており、前記レンズホルダは、該レンズホルダを移動するための１又は複数のコイル
と、前記ワイヤーばねの位置決めをする位置決め部材と、前記コイルと電気的に接続し、
前記ワイヤーばねがはんだ付けされることで取り付けられるワイヤー取付部とを有してお
り、前記支持部材は両側面に前記ワイヤーばねを接着するための接着部と、前記ワイヤー
ばねの振動を抑制する粘弾性を有するゲル状の制振部材とを有しており、前記基板は前記
支持部材の前記レンズホルダと対向する面と反対側の面に取り付けられるものであり、両
端部を折り曲げることで形成され、前記支持部材の両側面に備えられた凹部と係合する係
合部と、前記係合部に備えられ、はんだ付けにて前記ワイヤーばねと電気的に接続するラ
ンドとを有しており、前記ランドより前記ワイヤーばねを介し前記コイルにそれぞれ独立
して電力を供給し、前記ワイヤーばねは前記支持部材の接着部にそれぞれ対になるように
固定されることを特徴とする。
【００１９】
この構成によると、前記ワイヤーばねを前記アクトベースに取り付けられた前記支持部
材の側面の接着部に接着固定するので、はんだ付けによって前記ワイヤーばねの稼働範囲
が変化するのを防ぐことができる。このことは、複数本備えられる前記ワイヤーばねの長
さを互いに等しくすることができ、それだけ、レンズホルダの動作の精度を高めることが
できる。
【００２０】
また、特殊な部材や技術を使うことなく、前記ワイヤーばねを前記接着部に接着固定す
ることができるので、製造、組み立てに多くの時間、手間を必要とせず、それだけ、低コ
スト化を図ることができる。
【００２１】
上記構成において、前記コイルは前記レンズホルダを前記光ディスクの表面に垂直なフ
ォーカス方向に移動させるフォーカスコイル、前記光ディスクの半径方向に移動させるト
ラッキングコイルを例示できる。また、これらのコイルに限定されるものではなく、前記
レンズホルダの動作に用いられるコイルを広く採用することができる。前記ワイヤーばね
は前記コイルそれぞれに独立して電力を供給できる本数を備えていることが好ましい。
【００２２】
上記光ディスク装置として、それに限定されるものではないが、ＤＶＤ記録／再生装置
、ＣＤ再生装置、ＣＤ−Ｒ記録／再生装置、ＣＤ−ＲＷ記録／再生装置、ＭＤ記録／再生
装置、ＬＤ再生装置等、光ディスクを用い、該光ディスクより情報を読み出す及び（又は
）該光ディスクに情報を記録する装置を広く挙げることができる。
【００２３】
上記目的を達成するために本発明は、レーザ光を照射するレーザ光源と、ベースに支持
され、前記レーザ光を平行光にするコリメータレンズと、レンズホルダに固定され前記レ
ーザ光を前記光ディスクに照射するための対物レンズとを有しており、前記レンズホルダ
はアクトベースに支持されており、前記アクトベースは前記ベースに固定されており、前
記アクトベースは前記レンズホルダを支持するための支持部材と、前記支持部材に固定さ
れるとともに前記レンズホルダを弾性支持する直線状に形成された２対のワイヤーばねと
、前記支持部材に取り付けられる基板と、前記レンズホルダ内部に磁界を発生させるため
の永久磁石とを有しており、前記レンズホルダは、該レンズホルダを前記光ディスクのデ
ィスク面に対して垂直方向に動かすためのフォーカシングコイルと、該ディスク面に平行
な方向に移動するためのトラッキングコイルと、前記ワイヤーばねの位置決めをする位置
決め部材と、前記フォーカシングコイル及び前記トラッキングコイルと電気的に接続し、
前記ワイヤーばねがはんだ付けされることで取り付けられるワイヤー取付部とを有してお
り、前記支持部材は両側面に前記ワイヤーばねを接着剤にて接着するための接着部と、前
記ワイヤーばねと接触し粘弾性を有するゲル状の制振部材と、両側面に前記基板を配置す
るための凹部とを有しており、
前記基板は前記支持部材の前記レンズホルダと対向する面と反対側の面に取り付けられ
るものであり、両端部を折り曲げることで形成され、前記支持部材の両側面に備えられた
凹部と係合する係合部と、前記係合部に備えられ、はんだ付けにて前記ワイヤーばねと電
気的に接続するランドとを有しており、前記ランドより前記ワイヤーばねを介し前記フォ
ーカシングコイル及びトラッキングコイルにそれぞれ独立して電力を供給し、前記ワイヤ
ーばねは前記支持部材の接着部にそれぞれ対になるように固定されることを特徴とする光
ヘッドを提供する。
【００２４】
この構成によると、前記ワイヤーばねを前記アクトベースに取り付けられた前記支持部
材の側面の接着部に接着固定するので、はんだ付けによって前記ワイヤーばねの稼働範囲
が変化するのを防ぐことができる。このことは、複数本備えられる前記ワイヤーばねの長
さを互いに等しくすることができ、それだけ、レンズホルダの動作の精度を高めることが
できる。
【００２５】
また、特殊な部材や技術を使うことなく、前記ワイヤーばねを前記接着部に接着固定す
ることができるので、製造、組み立てに多くの時間、手間を必要とせず、それだけ、低コ
スト化を図ることができる。
【００２６】
上記目的を達成するために本発明は、レーザ光を照射するレーザ光源と、ベースに支持
され、前記レーザ光を平行光にするコリメータレンズと、レンズホルダに固定され前記レ
ーザ光を前記光ディスクに照射するための対物レンズとを有し、前記レンズホルダはアク
トベースに支持され、前記アクトベースは前記ベースに固定されており、前記アクトベー
スは前記レンズホルダを支持するための支持部材と、前記支持部材に固定されるとともに
前記レンズホルダを弾性支持する直線状に形成された１又は複数対のワイヤーばねと、前
記支持部材に取り付けられる基板と、前記レンズホルダ内部に磁界を発生させるための永
久磁石とを有しており、前記レンズホルダは、該レンズホルダを移動するための１又は複
数のコイルと、前記ワイヤーばねの位置決めをする位置決め部材と、前記コイルと電気的
に接続し、前記ワイヤーばねがはんだ付けされることで取り付けられるワイヤー取付部と
を有しており、前記支持部材は両側面に前記ワイヤーばねを接着剤にて接着するための接
着部と、前記ワイヤーばねの振動を抑制する粘弾性を有するゲル状の制振部材とを有して
おり、前記基板は前記支持部材の前記レンズホルダと対向する面と反対側の面に取り付け
られるものであり、両端部を折り曲げることで形成され、前記支持部材の両側面に備えら
れた凹部と係合する係合部と、前記係合部に備えられ、はんだ付けにて前記ワイヤーばね
と電気的に接続するランドとを有しており、前記ランドより前記ワイヤーばねを介し前記
コイルにそれぞれ独立して電力を供給し、前記ワイヤーばねは前記支持部材の接着部にそ
れぞれ対になるように固定されることを特徴とする光ヘッドを提供する。
【００２７】
この構成によると、前記ワイヤーばねを前記アクトベースに取り付けられた前記支持部
材の側面の接着部に接着固定するので、はんだ付けによって前記ワイヤーばねの稼働範囲
が変化するのを防ぐことができる。このことは、複数本備えられる前記ワイヤーばねの長
さを互いに等しくすることができ、それだけ、レンズホルダの動作の精度を高めることが
できる。
【００２８】
また、特殊な部材や技術を使うことなく、前記ワイヤーばねを前記接着部に接着固定す
ることができるので、製造、組み立てに多くの時間、手間を必要とせず、それだけ、低コ
スト化を図ることができる。
【００２９】
上記構成において、前記コイルは前記レンズホルダを前記光ディスクの表面に垂直なフ
ォーカス方向に移動させるフォーカスコイル、前記光ディスクの半径方向に移動させるト
ラッキングコイルを例示できる。また、これらのコイルに限定されるものではなく、前記
レンズホルダの動作に用いられるコイルを広く採用することができる。前記ワイヤーばね
は前記コイルそれぞれに独立して電力を供給できる本数を備えていることが好ましい。
【発明の効果】
【００３０】
本発明によると、簡単な構造を有し、組み立てに多くの時間及び手間をかけることなく
、フォーカシング、トラッキングの精度を高めることができる光ヘッド及びこの光ヘッド
を用いた光ディスク装置を提供することができる。
【発明を実施するための最良の形態】
【００３１】
以下に本発明の実施形態を図面を参照して説明する。図１に本発明にかかる光ディスク
装置の配置図を示す。図１に示す光ディスク装置は、それには限定されないがここではＤ
ＶＤプレーヤである。図１に示すＤＶＤプレーヤＰＬは、ＤＶＤメディアＤｓを回転させ
るスピンドルモータＳｐと、ＤＶＤメディアＤｓに光を照射し情報を読出す光ヘッドＡと
、光ヘッドＡで検出された信号を復号化するデコーダＤｃと、外部の表示装置であるモニ
タＭｎに接続するための外部接続部Ｏｃと、制御部Ｃｏｎｔとを備えている。
【００３２】
ＤＶＤプレーヤＰＬは制御部Ｃｏｎｔによって制御されており、使用者よりＤＶＤを再
生する命令がなされると、まず、スピンドルモータＳｐを駆動しＤＶＤメディアＤｓを回
転させる。光ヘッドＡより回動しているＤＶＤメディアＤｓにレーザ光を照射し、その反
射光を光ヘッドＡで検出する。光ヘッドＡに備えられた後述の受光素子Ｐｄは検出した光
を電気信号に変換するものであり、電気信号はデコーダＤｃに送られ映像用の信号に復調
され、外部接続部Ｏｃを介してモニタＭｎに送られ、モニタＭｎに映像を表示する。
【００３３】
図２に光ヘッドの一例の配置図を示す。図２に示す光ヘッドＡは、従来と実質上同一の
構造を有している。すなわち、レーザ光源Ｌｄと、ミラーＭｒと、コリメータレンズ３と
、対物レンズ４と、ビームスプリッタＢｓと、受光素子Ｐｄとを有している。レーザ光源
Ｌｄより照射されたレーザ光はミラーＭｒで反射され、コリメータレンズ３に入射し、平
行光に変化してコリメータレンズ３より出射する。コリメータレンズ３より出射したレー
ザ光は対物レンズ４に入射し対物レンズ４よりＤＶＤメディアＤｓに照射される。
【００３４】
このときレーザ光はＤＶＤメディアＤｓの記録層に焦点をあわせて、且つ、光軸とＤＶ
ＤメディアＤｓの記録層とが垂直になるようにレーザ光を照射する。ビームスプリッタＢ
ｓは入射されたレーザ光の半分を透過し半分を反射するプリズムであり、ＤＶＤメディア
Ｄｓで反射した光を受光素子Ｐｄに導くものである。受光素子Ｐｄは光を電流に変換する
ものであり、光の強さによってデータを読み取るものである。上述の各部材へのレーザ光
の照射順序はこれに限定されるものではなく、可能な範囲で順序が入れ替わっているもの
であっても良い。
【００３５】
図３に本発明に係る光ヘッドの平面図を、図４に図３に示す光ヘッドの側面図を示す。
図３、図４に示すように光ヘッドＡはコリメータレンズ３を支持するためのベース１と、
対物レンズ４を保持するレンズホルダ５と、ベース１に取り付けられ、対物レンズ４を保
持するレンズホルダ５を弾性支持するためのアクトベース２とを有している。アクトベー
ス２には貫通孔２０が形成されており、コリメータレンズ３を出射したレーザ光が貫通孔
２０を通過して対物レンズ４に入射する。
【００３６】
アクトベース２は支持部材２１と、支持部材２１に固定される直線状に形成されたワイ
ヤーばね２２と、支持部材２１に接着固定される基板２３と、レンズホルダ５が配置され
る空間に磁界を発生させるための一対の永久磁石２４（それに限定されるものではなく、
複数対の永久磁石であってもよく、１個の永久磁石であってもよい）とを有している。支
持部材２１は側面２１１に凸状のワイヤーばね２２を接着する接着部２１２と、接着部２
１２に隣接しワイヤーばね２２の振動を抑制するゲル状の制振部材２１３と、基板２３を
取り付けるための凹部２１４とを有している。
【００３７】
ワイヤーばね２２はレンズホルダ５を弾性支持するだけでなく、基板２３から後述のワ
イヤー取付部５３に電力を供給するための電気配線としても用いられる。ワイヤーばね２
２は制振部材２１３に覆われ、支持部材２１の接着部２１２に接着剤２２１で接着固定さ
れる。接着部２１２のさらに先端で後述する基板２３の第１ランド２３４、第２ランド２
３５とはんだ付けにて接続している。
【００３８】
基板２３は、図３、４に示すように、支持部材２１と接着固定される本体部２３１と、
図示を省略した電力を供給するための配線が接続する配線接続部２３２と、本体部２３１
の両端部と垂直に接続し、支持部材２１の側面２１１に形成された凹部２１４と係合する
係合部２３３を有している。係合部２３３は凹部２１４とワイヤーばね２２の間に挟まれ
て配置されるものである。ここで、係合部２３３は接着剤にて凹部２１４に接着固定され
ている。
【００３９】
基板２３はここでは接着剤にて支持部材２１に接着されているが、ボルトを用いて支持
部２１に固定するもの等、基板２３を支持部材２１に確実に固定できる固定方法を広く採
用することができる。係合部２３３が本体部２３１の端部に垂直に接続するものを挙げて
いるが、それに限定されるものではなく、凹部２１４に係合することができる角度のもの
を広く採用することができる。また、係合部２３３は凹部２１４に接着固定されているが
、それに限定されるものではなく、ワイヤーばね２２で係合部２３３を支持部２１２の凹
部２１４に押えることができ、ワイヤーばね２２をはんだ付けするときに係合部２３３が
凹部２１４から浮いたり、ずれたりしないものであれば、係合部２３３を凹部２１４に固
定されない状態であっても良い。
【００４０】
基板２３には表面にプリント配線が形成されている。係合部２３３にはワイヤーばね２
２と接続する第１ランド２３４及び第２ランド２３５が形成されており、第１ランド２３
４、第２ランド２３５にはそれぞれ配線接続部２３２より異なるプリント配線が接続して
いる。第１ランド２３４及び第２ランド２３５はそれぞれ対で形成されており、一方には
電力が供給され、他方は接地されている。第１ランド２３４、第２ランド２３５にはそれ
ぞれ異なるワイヤーばね２２が配置され、はんだ付けされている。接地されている方の第
１ランド２３４、第２ランド２３５は１つの部材で形成されていてもよい。
【００４１】
レンズホルダ５は中央に対物レンズ４を取り付けるための貫通孔５１と、側面５０１に
はワイヤーばね２２の位置決めを行う位置決め部５２と、位置決めされたワイヤーばね２
２をはんだ付けするためのワイヤー取付部５３とを有している。また、レンズホルダ５内
部にはレンズホルダ５をフォーカス方向、すなわち、図４中矢線ａｒ１で示す方向に動か
すためのフォーカシングコイル５４と、レンズホルダ５をトラッキング方向、すなわち、
図３中矢線ａｒ２で示す方向に動かすためのトラッキングコイル５５とを有している。
【００４２】
位置決め部５２はワイヤーばね２２が貫通し位置決めを行うための貫通孔５２１が形成
されている。ワイヤー取付部５３は金属で形成されており、第１取付部５３１と第２取付
部５３２に電気的に分割されている。ワイヤーばね２２は位置決め部５２の貫通孔５２１
を貫通し、ワイヤー取付部５３にはんだ付けにて固定される。第１取付部５３１はフォー
カシングコイル５４と、第２取付部５３２はトラッキングコイル５５と電気的に接続して
いる。
【００４３】
基板２３の配線接続部２３２から第１ランド２３４に電力を供給することで、第１取付
部５３１にワイヤーばね２２を介して電力を供給し、第１取付部５３１に取り付けられた
フォーカシングコイル５４に電流を流すことができる。配線接続部２３２から第２ランド
２３５に電力を供給することで、ワイヤーばね２２を介して第２取付部５３２に電力を供
給し、第２取付部５３２に取り付けられたトラッキングコイル５５に電流を流すことがで
きる。
【００４４】
フォーカシングコイル５４及びトラッキングコイル５５は一対の永久磁石２４によって
発される磁界の内部に配置される。この磁界内に配置されたコイルに電流が流れることで
、フォーカシングコイル５４、トラッキングコイル５５にローレンツ力が付与する。この
ローレンツ力によってレンズホルダ５をフォーカス方向及び（又は）トラッキング方向に
移動させることができる。ワイヤーばね２２は制振部材２１３を貫通しているので、レン
ズホルダ５に付与している力が除かれても、レンズホルダ５の振動を短時間で集束するこ
とができる。
【００４５】
トラッキング、フォーカシング時のレンズホルダ５の移動量はワイヤーばね２２の長さ
によって変化する。ここでワイヤーばね２２の長さとは、ワイヤーばね２２の端から端ま
での長さではなく、支持部材２１の接着部２１２の接着点２１２１から、レンズホルダ５
の位置決め部材５２までの長さＬである。
【００４６】
図５に本発明にかかる光ヘッドを構成するアクトベースの製造時の平面図を、図６に図
５に示すアクトベースの製造時の側面図を示す。図５、６に示すようにアクトベース２と
、支持部材２１と、基盤２３と、永久磁石２４とを組み立てる。一対の永久磁石２４の間
の空間にレンズホルダ５を配置した状態で、組み立て冶具６を取り付ける。これにより、
アクトベース２とレンズホルダ５との位置を組み立て後の位置になるように組み立て冶具
６で仮固定することができる。このように仮固定することで、レンズホルダ５の位置決め
部５２から支持部材２１の接着部２１２の接着点２１２１までの長さＬを、全てのワイヤ
ーばね２２で精度よく設定することが可能である。ワイヤーばね２２の長さＬは、それに
は限定されないが、全てのワイヤーばね２２で等しくなるものである。
【００４７】
組み立て冶具６には予めワイヤーばね２２を取り付けるための取り付け孔６１が形成さ
れており、取り付け孔６１よりワイヤーばね２２を取り付け位置に配置する。このとき、
ワイヤーばね２２はレンズホルダ５の位置決め部材５２の貫通孔５２１を貫通している。
また、ワイヤーばね２２は制振部材２１３に覆われている。そして、ワイヤーばね２２を
接着部２１２の接着点２１２１に接着剤２２１を用いて強固に接着固定される。
【００４８】
そして、基板２３の第１ランド２３４、第２ランド２３５とワイヤーばね２２とをはん
だ付けにて接続固定する。また、レンズホルダ５の第１取付部５３１及び第２取付部５３
２とワイヤーばね２２とをはんだ付けにて接続固定する。レンズホルダ５がワイヤーばね
２２にて確実に弾性支持されていることを確認した後、組み立て冶具６を取り外し、アク
トベース２の組み立てを完了する。
【００４９】
上記実施例では光ディスク装置としてＤＶＤプレーヤを例に説明しているが、それに限
定されるものではなく、光ディスクにレーザ光を照射して情報を読み出したり、記録可能
な光ディスクに情報を記録したりする光ディスク装置を挙げることができる。
【産業上の利用可能性】
【００５０】
本発明の光ヘッドは、ＤＶＤ、ＣＤ、ＬＤ等の光ディスクにレーザ光を照射して情報を
読み出したり、書込み可能な光ディスクに情報を記録したりする光ディスク装置において
適用することができる。
【図面の簡単な説明】
【００５１】
【図１】本発明にかかる光ディスク装置の配置図である。
【図２】光ヘッドの一例の配置図である。
【図３】本発明に係る光ヘッドの平面図である。
【図４】図３に示す光ヘッドの側面図である。
【図５】本発明にかかる光ヘッドの組立時の平面図である。
【図６】本発明にかかる光ヘッドの組立時の平面図である。
【図７】従来の光ヘッドの平面図である。
【図８】従来の光ヘッドの側面図である。
【符号の説明】
【００５２】
Ｄｓ  光ディスク
Ｍｒ  ミラー
Ｂｓ  ビームスプリッタ
Ｌｄ  レーザ光源
Ｐｄ  受光部
１  ベース
２  アクトベース
２１  支持部材
２１２  接着部
２１３  制振部材
２２  ワイヤーばね
２３  基板
２４  永久磁石
３  コリメータレンズ
４  対物レンズ
５  レンズホルダ
５１  貫通孔
５２  位置決め部材
５３  ワイヤー取付部
【図１】
2006134433.tif 000003
【図２】
2006134433.tif 000004
【図３】
2006134433.tif 000005
【図４】
2006134433.tif 000006
【図５】
2006134433.tif 000007
【図６】
2006134433.tif 000008
【図７】
2006134433.tif 000009
【図８】
2006134433.tif 000010